【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
患者の腰部領域を安定化する植込み型の装置において、
下部、上部、下部と上部の間を延在する中間部、及び腰椎の棘突起と係合するように上部から延在する１対の側方壁を含むＵ字状の本体と、腰椎と仙骨の間に本体を固定するアンカー組立物とを備える装置。
【請求項２】
腰椎が第５腰椎（Ｌ５）である請求項１に記載の装置。
【請求項３】
本体が軟質である請求項１に記載の装置。
【請求項４】
本体の可撓性がその長さに沿って変動する請求項３に記載の装置。
【請求項５】
本体の厚さがその長さに沿って変動する請求項１に記載の装置。
【請求項６】
本体の幅がその長さに沿って変動する請求項１に記載の装置。
【請求項７】
側方壁が、植込み前に互いに大略平行に延在する請求項１に記載の装置。
【請求項８】
側方壁が、植込み前に互いに離隔するように延在する請求項１に記載の装置。
【請求項９】
側方壁が、植込み後に互いに接近するよう移動自在に構成された請求項１に記載の装置。
【請求項１０】
側方壁が可鍛性を有する請求項１に記載の装置。
【請求項１１】
側方壁が湾曲している請求項１に記載の装置。
【請求項１２】
各側方壁が貫通穴を有する請求項１に記載の装置。
【請求項１３】
貫通穴の回りと棘突起の回りに結ばれるように構成された軟質固定要素を更に備える請求項１２に記載の装置。
【請求項１４】
軟質固定要素が合成材料又は天然材料である請求項１３に記載の装置。
【請求項１５】
合成材料又は天然材料が、靭帯、腱、筋膜、筋肉、縫合材料とケーブルストラップよりなる群から選択される請求項１４に記載の装置。
【請求項１６】
骨組織への固定を高める表面特徴部を含む請求項１に記載の装置。
【請求項１７】
表面特徴部が、歯、かかり、ビーズと肌荒れよりなる群から選択される請求項１６に記載の装置。
【請求項１８】
植込み後の組織成長を促進する生物学的活性材料を更に含む請求項１に記載の装置。
【請求項１９】
生物学的活性材料が装置のコーティングに含まれている請求項１８に記載の装置。
【請求項２０】
装置が多孔性であり、生物学的活性材料が装置の細孔に含まれている請求項１８に記載の装置。
【請求項２１】
生体適合性の金属又は高分子からなる請求項１に記載の装置。
【請求項２２】
生体適合性の金属又は高分子が、チタン、チタン合金、ステンレス鋼、コバルトクロム、セラミックス、超高分子量ポリエチレンとポリエーテルエーテルケトンよりなる群から選択される請求項２１に記載の装置。
【請求項２３】
棘突起を本体に固定するように側方壁と係合する固定キャップを更に備える請求項１に記載の装置。
【請求項２４】
固定キャップが、１対の側壁を含むＵ字状ブラケットを備え、各側壁が歯を含む請求項２３に記載の装置。
【請求項２５】
側方壁が切欠きを含む請求項２４に記載の装置。
【請求項２６】
固定キャップの歯が、側方壁の切欠きと爪車式係合及び連動をするように構成された請求項２５に記載の装置。
【請求項２７】
各側方壁が細長いスロットを有する請求項２６に記載の装置。
【請求項２８】
各側壁が、一方の側方壁の細長いスロットと心合せされた細長いスロットを有する請求項２７に記載の装置。
【請求項２９】
側壁と側方壁の細長いスロットに挿通される固定要素を更に含む請求項２８に記載の装置。
【請求項３０】
一方の側方壁が、他方の側方壁に対して選択的に移動自在である請求項１に記載の装置。
【請求項３１】
移動自在の側方壁が他方の側方壁に対して折畳み自在である請求項３０に記載の装置。
【請求項３２】
移動自在の側方壁が他方の側方壁に対して揺動自在である請求項３０に記載の装置。
【請求項３３】
移動自在の側方壁が本体の上部から取外し自在である請求項３０に記載の装置。
【請求項３４】
移動自在の側方壁が、本体の上部の相手溝と摺動係合するように形成された止着端を含む請求項３０に記載の装置。
【請求項３５】
止着端が、上部の相手溝とあり継手を形成する請求項３４に記載の装置。
【請求項３６】
側方壁の貫通穴の間に配置されるファスナーを更に含む請求項１２に記載の装置。
【請求項３７】
ファスナーの先端部に載置されるキャップを更に含む請求項３６に記載の装置。
【請求項３８】
ファスナーの先端部に載置されるワッシャーを更に含む請求項３６に記載の装置。
【請求項３９】
アンカー組立物が、本体に接続できる支持ロッドと、支持ロッドを仙骨に固定する少なくとも１個のアンカーとを備える請求項１に記載の装置。
【請求項４０】
本体が、下部から延在する基部を備え、更に、基部が、支持ロッドを配置するように貫通する開口を有する請求項３９に記載の装置。
【請求項４１】
本体が支持ロッドに対して回転自在である請求項３９に記載の装置。
【請求項４２】
支持ロッドがアンカーに対して回転自在である請求項３９に記載の装置。
【請求項４３】
本体が支持ロッドに対して側方に並進自在である請求項３９に記載の装置。
【請求項４４】
本体が支持ロッドに対して前方側方に並進自在である請求項３９に記載の装置。
【請求項４５】
本体が支持ロッドに対して角度的に調整自在である請求項３９に記載の装置。
【請求項４６】
支持ロッドが球状ノブを含み、本体が、球状ノブと係合する球状凹所を下部の上に含む請求項３９に記載の装置。
【請求項４７】
支持ロッドが、その長さに沿って湾曲部又は曲げ部を含む請求項３９に記載の装置。
【請求項４８】
本体が支持ロッドに対して静止している請求項３９に記載の装置。
【請求項４９】
アンカーがねじを備える請求項３９に記載の装置。
【請求項５０】
ねじが多軸ねじである請求項４９に記載の装置。
【請求項５１】
アンカーが、支持ロッドに対して側方に移動自在であるように構成された請求項３９に記載の装置。
【請求項５２】
アンカーが、支持ロッドに対して角度的に調整自在であるように構成された請求項３９に記載の装置。
【請求項５３】
アンカー組立物が、本体の下部から延在する少なくとも１個の突起を備え、更に、突起が、仙骨と係合する把持部を形成する請求項１に記載の装置。
【請求項５４】
突起が、仙骨に当接されるように構成された板を含む請求項５３に記載の装置。
【請求項５５】
板が、骨ねじを挿通するねじ穴を含む請求項５４に記載の装置。
【請求項５６】
突起が本体に対して回転自在である請求項５３に記載の装置。
【請求項５７】
突起が本体から取外し自在である請求項５３に記載の装置。
【請求項５８】
突起が、仙骨の一部を把持する１対の端板を含む請求項５３に記載の装置。
【請求項５９】
各端板が、骨ねじを挿通する少なくとも１個のねじ穴を含む請求項５８に記載の装置。
【請求項６０】
アンカー組立物が、把持部を形成する複数の突起を備え、更に、突起が、仙骨の正中稜を把持する１対の脚部を含む請求項５３に記載の装置。
【請求項６１】
仙骨管に挿入される少なくとも１個の後板を更に含む請求項６０に記載の装置。
【請求項６２】
仙骨に挿入されるスパイクを更に含む請求項６０に記載の装置。
【請求項６３】
支持ロッドと、下部、上部、下部と上部の間の中間部、及び椎骨の棘突起と係合するように上部から延在する１対の側方壁を含む軟質のＵ字状本体と、支持ロッドを隣接椎骨に固定する少なくとも１個の固定要素とを備え、更に、下部が、支持ロッドと連結されるように構成された基部を含む棘間安定化装置。
【請求項６４】
椎骨が腰椎である請求項６３に記載の装置。
【請求項６５】
腰椎が第５腰椎（Ｌ５）である請求項６４に記載の装置。
【請求項６６】
隣接椎骨が第１仙椎（Ｓ１）である請求項６３に記載の装置。
【請求項６７】
基部が、支持ロッドを配置するために貫通する開口を有する請求項６３に記載の装置。
【請求項６８】
基部と開口が細長い請求項６７に記載の装置。
【請求項６９】
基部が高分子ライナーを更に含む請求項６７に記載の装置。
【請求項７０】
基部が、支持ロッドの一部に当接するように構成された部分的に球状のフックを備える請求項６３に記載の装置。
【請求項７１】
支持ロッドの一部が重合体ライナーを含む請求項６３に記載の装置。
【請求項７２】
本体の可撓性がその長さに沿って変動する請求項６３に記載の装置。
【請求項７３】
本体の厚さがその長さに沿って変動する請求項６３に記載の装置。
【請求項７４】
本体の幅がその長さに沿って変動する請求項６３に記載の装置。
【請求項７５】
側方壁が、植込み前に互いに大略平行に延在する請求項６３に記載の装置。
【請求項７６】
側方壁が、植込み前に互いに離隔するように延在する請求項６３に記載の装置。
【請求項７７】
側方壁が、植込み後に互いに接近するよう移動自在に構成された請求項６３に記載の装置。
【請求項７８】
側方壁が可鍛性を有する請求項７７に記載の装置。
【請求項７９】
側方壁が湾曲している請求項６３に記載の装置。
【請求項８０】
各側方壁が貫通穴を有する請求項６３に記載の装置。
【請求項８１】
貫通穴の回りと棘突起の回りに結ばれるように構成された軟質固定要素を更に備える請求項８０に記載の装置。
【請求項８２】
軟質固定要素が合成材料又は天然材料である請求項８１に記載の装置。
【請求項８３】
合成材料又は天然材料が、靭帯、腱、筋膜、筋肉、縫合材料、布、メッシュとウェッビングよりなる群から選択される請求項８２に記載の装置。
【請求項８４】
骨組織への固定を高める表面特徴部を含む請求項６３に記載の装置。
【請求項８５】
表面特徴部が、歯、かかり、ビーズと肌荒れよりなる群から選択される請求項８４に記載の装置。
【請求項８６】
植込み後の組織成長を促進する生物学的活性材料を更に含む請求項６３に記載の装置。
【請求項８７】
生物学的活性材料が装置のコーティングに含まれている請求項８６に記載の装置。
【請求項８８】
装置が多孔性であり、生物学的活性材料が装置の細孔に含まれている請求項８６に記載の装置。
【請求項８９】
生体適合性の金属又は高分子からなる請求項６３に記載の装置。
【請求項９０】
生体適合性の金属又は高分子が、チタン、チタン合金、ステンレス鋼、コバルトクロム、セラミックス、超高分子量ポリエチレンとポリエーテルエーテルケトンよりなる群から選択される請求項８９に記載の装置。
【請求項９１】
棘突起を本体に固定するように側方壁と係合する固定キャップを更に備える請求項６３に記載の装置。
【請求項９２】
固定キャップが、１対の側壁を含むＵ字状ブラケットを備え、各側壁が歯を含む請求項９１に記載の装置。
【請求項９３】
側方壁が切欠きを含む請求項９２に記載の装置。
【請求項９４】
固定キャップの歯が、側方壁の切欠きと爪車式係合及び連動をするように構成された請求項９３に記載の装置。
【請求項９５】
各側方壁が細長いスロットを有する請求項９４に記載の装置。
【請求項９６】
各側壁が、一方の側方壁の細長いスロットと心合せされた細長いスロットを有する請求項９５に記載の装置。
【請求項９７】
側壁と側方壁の細長いスロットに挿通される固定要素を更に含む請求項９６に記載の装置。
【請求項９８】
一方の側方壁が、他方の側方壁に対して選択的に移動自在である請求項６３に記載の装置。
【請求項９９】
移動自在の側方壁が本体の上部にヒンジ付けされた請求項９８に記載の装置。
【請求項１００】
移動自在の側方壁が他方の側方壁に対して折畳み自在である請求項９９に記載の装置。
【請求項１０１】
移動自在の側方壁が他方の側方壁に対して揺動自在である請求項９９に記載の装置。
【請求項１０２】
移動自在の側方壁が本体の上部から取外し自在である請求項９８に記載の装置。
【請求項１０３】
移動自在の側方壁が、本体の上部の相手溝と摺動係合するように形成された止着端を含む請求項１０２に記載の装置。
【請求項１０４】
止着端があり継ぎであり、上部の相手溝が、あり継手を形成する相手形状を有する請求項１０３に記載の装置。
【請求項１０５】
止着端がＴ字状であり、上部の相手溝が相手Ｔ字形状を有する請求項１０３に記載の装置。
【請求項１０６】
側方壁の貫通穴の間に配置されるファスナーを更に含む請求項８０に記載の装置。
【請求項１０７】
ファスナーの先端部に載置されるキャップを更に含む請求項１０６に記載の装置。
【請求項１０８】
ファスナーの先端部に載置されるワッシャーを更に含む請求項１０６に記載の装置。
【請求項１０９】
本体が支持ロッドに対して回転自在である請求項６３に記載の装置。
【請求項１１０】
支持ロッドが固定要素に対して回転自在である請求項６３に記載の装置。
【請求項１１１】
本体が支持ロッドに対して側方に並進自在である請求項６３に記載の装置。
【請求項１１２】
本体が支持ロッドに対して前方側方に並進自在である請求項６３に記載の装置。
【請求項１１３】
本体が支持ロッドに対して角度的に調整自在である請求項６３に記載の装置。
【請求項１１４】
支持ロッドが球状ノブを含み、基部が、球状ノブと係合する球状凹所を画成する起立ソケットを含む請求項６３に記載の装置。
【請求項１１５】
支持ロッドが、その長さに沿って湾曲部又は曲げ部を含む請求項６３に記載の装置。
【請求項１１６】
本体が支持ロッドに対して静止している請求項６３に記載の装置。
【請求項１１７】
固定要素がねじを備える請求項６３に記載の装置。
【請求項１１８】
ねじが多軸ねじである請求項１１７に記載の装置。
【請求項１１９】
固定要素が、支持ロッドに対して側方に移動自在であるように構成された請求項６３に記載の装置。
【請求項１２０】
固定要素が、支持ロッドに対して角度的に調整自在であるように構成された請求項６３に記載の装置。
【請求項１２１】
下部、上部、下部と上部の間の中間部、及び腰椎の棘突起と係合するように上部から延在する１対の側方壁を含むＵ字状の軟質の本体を備え、更に、下部が、仙骨と係合する把持部を形成する少なくとも１個の突起を含む腰仙骨の棘間安定化装置。
【請求項１２２】
突起が、仙骨に当接されるように構成された板を含む請求項１２１に記載の装置。
【請求項１２３】
板が、骨ねじを挿通するねじ穴を含む請求項１２２に記載の装置。
【請求項１２４】
板が、仙骨の正中稜を囲繞するように大略Ｕ字状である請求項１２２に記載の装置。
【請求項１２５】
突起が本体に対して回転自在である請求項１２１に記載の装置。
【請求項１２６】
突起が下部から取外し自在である請求項１２１に記載の装置。
【請求項１２７】
突起が円筒状止着端を含む請求項１２1に記載の装置。
【請求項１２８】
下部が、突起の円筒状止着端と係合するＣ字状のフックを含む請求項１２１に記載の装置。
【請求項１２９】
突起が、仙骨に当接されるように構成された板である請求項１２８に記載の装置。
【請求項１３０】
板が、骨ねじを挿通するねじ穴を含む請求項１２９に記載の装置。
【請求項１３１】
板が、仙骨の正中稜を囲繞するように大略Ｕ字状である請求項１２９に記載の装置。
【請求項１３２】
突起が、仙骨の一部を把持する１対の端板を含む請求項１２１に記載の装置。
【請求項１３３】
各端板が、骨ねじを挿通する少なくとも１個のねじ穴を含む請求項１３２に記載の装置。
【請求項１３４】
突起が、仙骨の一部を間に把持する複数の端板を含む請求項１２１に記載の装置。
【請求項１３５】
各端板が、骨ねじを挿通する少なくとも１個のねじ穴を含む請求項１３４に記載の装置。
【請求項１３６】
突起が、把持部を形成する複数の突起を備え、更に、複数の突起が、仙骨の正中稜を把持する１対の脚部を含む請求項１２１に記載の装置。
【請求項１３７】
仙骨管に挿入される少なくとも１個の後板を更に含む請求項１３６に記載の装置。
【請求項１３８】
仙骨管に挿入される１対の後板を更に含む請求項１３７に記載の装置。
【請求項１３９】
仙骨に挿入されるスパイクを更に含む請求項１３６に記載の装置。
【請求項１４０】
腰椎が第５腰椎（Ｌ５）である請求項１２１に記載の装置。
【請求項１４１】
本体の可撓性がその長さに沿って変動する請求項１２１に記載の装置。
【請求項１４２】
本体の厚さがその長さに沿って変動する請求項１２１に記載の装置。
【請求項１４３】
本体の幅がその長さに沿って変動する請求項１２１に記載の装置。
【請求項１４４】
側方壁が、植込み前に互いに大略平行に延在する請求項１２１に記載の装置。
【請求項１４５】
側方壁が、植込み前に互いに離隔するように延在する請求項１２１に記載の装置。
【請求項１４６】
側方壁が、植込み後に互いに接近するよう移動自在に構成された請求項１２１に記載の装置。
【請求項１４７】
側方壁が可鍛性を有する請求項１２１に記載の装置。
【請求項１４８】
側方壁が湾曲している請求項１２１に記載の装置。
【請求項１４９】
各側方壁が貫通穴を有する請求項１２１に記載の装置。
【請求項１５０】
貫通穴の回りと棘突起の回りに結ばれるように構成された軟質固定要素を更に備える請求項１４９に記載の装置。
【請求項１５１】
軟質固定要素が合成材料又は天然材料である請求項１５０に記載の装置。
【請求項１５２】
合成材料又は天然材料が、靭帯、腱、筋膜、筋肉、縫合材料、布、メッシュとウェッビングよりなる群から選択される請求項１５１に記載の装置。
【請求項１５３】
骨組織への固定を高める表面特徴部を含む請求項１２１に記載の装置。
【請求項１５４】
表面特徴部が、歯、かかり、ビーズと肌荒れよりなる群から選択される請求項１５３に記載の装置。
【請求項１５５】
植込み後の組織成長を促進する生物学的活性材料を更に含む請求項１２１に記載の装置。
【請求項１５６】
生物学的活性材料が装置のコーティングに含まれている請求項１５５に記載の装置。
【請求項１５７】
装置が多孔性であり、生物学的活性材料が装置の細孔に含まれている請求項１２１に記載の装置。
【請求項１５８】
生体適合性の金属又は高分子からなる請求項１２１に記載の装置。
【請求項１５９】
生体適合性の金属又は高分子が、チタン、チタン合金、ステンレス鋼、コバルトクロム、セラミックス、超高分子量ポリエチレンとポリエーテルエーテルケトンよりなる群から選択される請求項１５８に記載の装置。
【請求項１６０】
棘突起を本体に固定するように側方壁と係合する固定キャップを更に備える請求項１２１に記載の装置。
【請求項１６１】
固定キャップが、１対の側壁を含むＵ字状ブラケットを備え、各側壁が歯を含む請求項１６０に記載の装置。
【請求項１６２】
側方壁が切欠きを含む請求項１６１に記載の装置。
【請求項１６３】
固定キャップの歯が、側方壁の切欠きと爪車式係合及び連動をするように構成された請求項１６２に記載の装置。
【請求項１６４】
各側方壁が細長いスロットを有する請求項１６３に記載の装置。
【請求項１６５】
各側壁が、一方の側方壁の細長いスロットと心合せされた細長いスロットを有する請求項１６４に記載の装置。
【請求項１６６】
側壁と側方壁の細長いスロットに挿通される固定要素を更に含む請求項１６５に記載の装置。
【請求項１６７】
一方の側方壁が、他方の側方壁に対して選択的に移動自在である請求項１２１に記載の装置。
【請求項１６８】
移動自在の側方壁が本体の上部にヒンジ付けされた請求項１６７に記載の装置。
【請求項１６９】
移動自在の側方壁が他方の側方壁に対して折畳み自在である請求項１６８に記載の装置。
【請求項１７０】
移動自在の側方壁が他方の側方壁に対して揺動自在である請求項１６８に記載の装置。
【請求項１７１】
移動自在の側方壁が本体の上部から取外し自在である請求項１６７に記載の装置。
【請求項１７２】
移動自在の側方壁が、本体の上部の相手溝と摺動係合するように形成された止着端を含む請求項１７１に記載の装置。
【請求項１７３】
止着端が、上部の相手溝とあり継手を形成する請求項１７２に記載の装置。
【請求項１７４】
側方壁の貫通穴の間に配置されるファスナーを更に含む請求項１４９に記載の装置。
【請求項１７５】
ファスナーの先端部に載置されるキャップを更に含む請求項１７４に記載の装置。
【請求項１７６】
ファスナーの先端部に載置されるワッシャーを更に含む請求項１７４に記載の装置。
【請求項１７７】
本体の下部と上部に取付けられるサイドパネルを更に含む請求項１２１に記載の装置。
【請求項１７８】
サイドパネルが、下部、上部、及び下部と上部の間の中間部を含み、更に、下部が、本体の下部から延在する舌部を受承する溝を含む請求項１７７に記載の装置。
【請求項１７９】
サイドパネルの上部がくさびを含む請求項１７８に記載の装置。
【請求項１８０】
本体が、着脱自在の第１部品と第２部品を備え、第１部品が側方壁を含む一方、第２部品が、仙骨と係合する把持部を含む請求項１２１に記載の装置。
【請求項１８１】
第１部品と第２部品が、本体の下部を一緒に形成するために、あり継手を形成するように構成された請求項１８０に記載の装置。
【請求項１８２】
患者の棘間領域を安定化する植込み型の装置において、
下部、上部、及び下部と上部の間を延在する中間部を含むＵ字状の本体と、椎骨の棘突起を本体に固定するように構成されて、本体の上部と係合する固定キャップと、本体を隣接椎骨に固定するアンカー組立物とを備える装置。
【請求項１８３】
固定キャップが、１対の側壁を含むＵ字状ブラケットを備え、更に、各側壁が、本体の上部上のフランジと摺動係合するように構成された溝を有する請求項１８２に記載の装置。
【請求項１８４】
固定キャップが、１対の側壁を含むＵ字状ブラケットを備え、更に、各側壁が、本体の上部上のスロットと係合するように構成された請求項１８２に記載の装置。
【請求項１８５】
骨組織への固定を高める表面特徴部を含む請求項１８２に記載の装置。
【請求項１８６】
表面特徴部が、歯、かかり、ビーズと肌荒れよりなる群から選択される請求項１８５に記載の装置。
【請求項１８７】
アンカー組立物が、本体に接続自在の支持ロッドと、支持ロッドを仙骨に固定する少なくとも１個のアンカーとを備える請求項１８２に記載の装置。
【請求項１８８】
本体が、下部から延在する基部を備え、更に、基部が、支持ロッドを配置するように貫通する開口を有する請求項１８７に記載の装置。
【請求項１８９】
基部と開口が細長い請求項１８８に記載の装置。
【請求項１９０】
基部が高分子ライナーを更に含む請求項１８９に記載の装置。
【請求項１９１】
支持ロッドの少なくとも一部が重合体ライナーを含む請求項１８７に記載の装置。
【請求項１９２】
基部が、支持ロッドの一部に当接するように構成されたＣ字状のフックを備える請求項１８７に記載の装置。
【請求項１９３】
本体が支持ロッドに対して回転自在である請求項１８７に記載の装置。
【請求項１９４】
支持ロッドがアンカーに対して回転自在である請求項１８７に記載の装置。
【請求項１９５】
本体が支持ロッドに対して側方に並進自在である請求項１８７に記載の装置。
【請求項１９６】
本体が支持ロッドに対して前方側方に並進自在である請求項１８７に記載の装置。
【請求項１９７】
本体が支持ロッドに対して角度的に調整自在である請求項１８７に記載の装置。
【請求項１９８】
支持ロッドが球状ノブを含み、本体が、球状ノブと係合する球状凹所を下部の上に含む請求項１８７に記載の装置。
【請求項１９９】
支持ロッドが、その長さに沿って湾曲部又は曲げ部を含む請求項１８７に記載の装置。
【請求項２００】
本体が支持ロッドに対して静止している請求項１８７に記載の装置。
【請求項２０１】
アンカーがねじを備える請求項１８７に記載の装置。
【請求項２０２】
ねじが多軸ねじである請求項１８７に記載の装置。
【請求項２０３】
アンカーが、支持ロッドに対して側方に移動自在であるように構成された請求項１８７に記載の装置。
【請求項２０４】
アンカーが、支持ロッドに対して角度的に調整自在であるように構成された請求項１８７に記載の装置。
【請求項２０５】
椎骨が腰椎である請求項１８７に記載の装置。
【請求項２０６】
腰椎が第５腰椎（Ｌ５）である請求項２０５に記載の装置。
【請求項２０７】
隣接椎骨が仙骨である請求項１８７に記載の装置。
【請求項２０８】
アンカー組立物が、本体の下部から延在する少なくとも１個の突起を備え、更に、突起が、仙椎と係合する把持部を形成する請求項２０５に記載の装置。
【請求項２０９】
突起が、仙骨に当接されるように構成された板を含む請求項２０８に記載の装置。
【請求項２１０】
板が、骨ねじを挿通するねじ穴を含む請求項２０９に記載の装置。
【請求項２１１】
突起が本体に対して回転自在である請求項２０８に記載の装置。
【請求項２１２】
突起が下部から取外し自在である請求項２０８に記載の装置。
【請求項２１３】
突起が円筒状止着端を含む請求項２１２に記載の装置。
【請求項２１４】
下部が、突起の円筒状止着端と係合するＣ字状のフックを含む請求項２１３に記載の装置。
【請求項２１５】
突起が、仙骨に当接されるように構成された板である請求項２１４に記載の装置。
【請求項２１６】
板が、骨ねじを挿通するねじ穴を含む請求項２１５に記載の装置。
【請求項２１７】
板が、仙骨の正中稜を囲繞するように大略Ｕ字状である請求項２１６に記載の装置。
【請求項２１８】
突起が、仙骨の一部を把持する１対の端板を含む請求項２０８に記載の装置。
【請求項２１９】
各端板が、骨ねじを挿通する少なくとも１個のねじ穴を含む請求項２１８に記載の装置。
【請求項２２０】
アンカー組立物が、把持部を形成する複数の突起を備え、更に、複数の突起が、仙骨の正中稜を把持する１対の脚部を含む請求項２１８に記載の装置。
【請求項２２１】
仙骨管に挿入される少なくとも１個の後板を更に含む請求項２２０に記載の装置。
【請求項２２２】
仙骨に挿入されるスパイクを更に含む請求項２２０に記載の装置。
【請求項２２３】
本体が軟質である請求項１８２に記載の装置。
【請求項２２４】
本体の可撓性がその長さに沿って変動する請求項２２３に記載の装置。
【請求項２２５】
本体の厚さがその長さに沿って変動する請求項１８２に記載の装置。
【請求項２２６】
本体の幅がその長さに沿って変動する請求項１８２に記載の装置。
【請求項２２７】
植込み後の組織成長を促進する生物学的活性材料を更に含む請求項１８２に記載の装置。
【請求項２２８】
生物学的活性材料が装置のコーティングに含まれている請求項２２７に記載の装置。
【請求項２２９】
装置が多孔性であり、生物学的活性材料が装置の細孔に含まれている請求項２２８に記載の装置。
【請求項２３０】
生体適合性の金属又は高分子からなる請求項１８２に記載の装置。
【請求項２３１】
生体適合性の金属又は高分子が、チタン、チタン合金、ステンレス鋼、コバルトクロム、セラミックス、超高分子量ポリエチレンとポリエーテルエーテルケトンよりなる群から選択される請求項２３０に記載の装置。
【請求項２３２】
棘間椎骨安定化装置において、
下部、上部、及び下部と上部の間の中間部を含む本体と、１対の固定キャップとを備え、スペーサ本体が、２個の隣接椎骨の間の棘間空間に配置されるように構成され、更に、各固定キャップが、スペーサ本体の上部又は下部と係合するように構成されて、一方の隣接椎骨の棘突起を本体に固定する棘間椎骨安定化装置。
【請求項２３３】
各固定キャップが、１対の側壁を含むＵ字状ブラケットを備え、更に、各側壁が、本体の下部又は上部上のフランジと摺動係合するように構成された溝を自由端に有する請求項２３２に記載の装置。
【請求項２３４】
固定キャップが、１対の側壁を含むＵ字状ブラケットを備え、更に、各側壁が、本体の下部又は上部上のスロットと係合するように構成された請求項２３２に記載の装置。
【請求項２３５】
各側壁が、本体のスロットと係合するフランジを自由端に含む請求項２３４に記載の装置。
【請求項２３６】
骨組織への固定を高める表面特徴部を含む請求項２３２に記載の装置。
【請求項２３７】
表面特徴部が、歯、かかり、ビーズと肌荒れよりなる群から選択される請求項２３６に記載の装置。
【請求項２３８】
本体が大略Ｕ字状である請求項２３２に記載の装置。
【請求項２３９】
本体が軟質である請求項２３２に記載の装置。
【請求項２４０】
本体の可撓性がその長さに沿って変動する請求項２３９に記載の装置。
【請求項２４１】
本体の厚さがその長さに沿って変動する請求項２３２に記載の装置。
【請求項２４２】
本体の幅がその長さに沿って変動する請求項２３２に記載の装置。
【請求項２４３】
植込み後の組織成長を促進する生物学的活性材料を更に含む請求項２３２に記載の装置。
【請求項２４４】
生物学的活性材料が装置のコーティングに含まれている請求項２３２に記載の装置。
【請求項２４５】
装置が多孔性であり、生物学的活性材料が装置の細孔に含まれている請求項２３２に記載の装置。
【請求項２４６】
生体適合性の金属又は高分子からなる請求項２３２に記載の装置。
【請求項２４７】
生体適合性の金属又は高分子が、チタン、チタン合金、ステンレス鋼、コバルトクロム、セラミックス、超高分子量ポリエチレンとポリエーテルエーテルケトンよりなる群から選択される請求項２４６に記載の装置。
【請求項２４８】
棘間椎骨安定化装置において、
下部、上部、下部と上部の間を延在する中間部、及び椎骨の棘突起と係合するように本体から延在する１対の側方壁を含む本体と、１対の側方壁と係合するように構成されて、椎骨の棘突起を本体に固定する固定キャップとを備える棘間椎骨安定化装置。
【請求項２４９】
固定キャップが、１対の側壁を含むＵ字状ブラケットを備える請求項２４８に記載の装置。
【請求項２５０】
側壁が歯を含むと共に、各側方壁が切欠きを含み、更に、固定キャップが、本体の側方壁の切欠きと爪車式係合及び連動をするように構成された請求項２４９に記載の装置。
【請求項２５１】
各側方壁が細長いスロットを有する請求項２５０に記載の装置。
【請求項２５２】
各側壁が、一方の側方壁の細長いスロットと心合せされた細長いスロットを有する請求項２５１に記載の装置。
【請求項２５３】
側壁と側方壁の細長いスロットに挿通される固定要素を更に含む請求項２５２に記載の装置。
【請求項２５４】
骨組織への固定を高める表面特徴部を含む請求項２４８に記載の装置。
【請求項２５５】
表面特徴部が、歯、かかり、ビーズと肌荒れよりなる群から選択される請求項２５４に記載の装置。
【請求項２５６】
本体が大略Ｕ字状である請求項２４８に記載の装置。
【請求項２５７】
本体が軟質である請求項２４８に記載の装置。
【請求項２５８】
本体の可撓性がその長さに沿って変動する請求項２５７に記載の装置。
【請求項２５９】
本体の厚さがその長さに沿って変動する請求項２４８に記載の装置。
【請求項２６０】
本体の幅がその長さに沿って変動する請求項２４８に記載の装置。
【請求項２６１】
植込み後の組織成長を促進する生物学的活性材料を更に含む請求項２４８に記載の装置。
【請求項２６２】
生物学的活性材料が装置のコーティングに含まれている請求項２６１に記載の装置。
【請求項２６３】
装置が多孔性であり、生物学的活性材料が装置の細孔に含まれている請求項２６１に記載の装置。
【請求項２６４】
生体適合性の金属又は高分子からなる請求項２４８に記載の装置。
【請求項２６５】
生体適合性の金属又は高分子が、チタン、チタン合金、ステンレス鋼、コバルトクロム、セラミックス、超高分子量ポリエチレンとポリエーテルエーテルケトンよりなる群から選択される請求項２６４に記載の装置。
【請求項２６６】
本体が２対の側方壁を備える請求項２４８に記載の装置。
【請求項２６７】
下部と上部の各々が、それから延在する１対の側方壁を含む請求項２６６に記載の装置。
【請求項２６８】
２個の固定キャップを更に含み、各固定キャップが、椎骨の棘突起を本体に固定するために、２対の側方壁の一方と係合するように構成された請求項２６６に記載の装置。
【請求項２６９】
棘間椎骨安定化装置において、
下部、上部、及び下部と上部の間の中間部を含む本体を備え、下部が、椎骨の棘突起と係合するように、下部から延在する１対の側方壁を有する一方、上部が、隣接椎骨の棘突起と係合するように、上部から延在する１対の側方壁を有し、更に、側方壁の少なくとも１個が、他方の側方壁に対して選択的に移動自在である棘間椎骨安定化装置。
【請求項２７０】
少なくとも１個の移動自在の側方壁が本体の上部にヒンジ付けされた請求項２６９に記載の装置。
【請求項２７１】
少なくとも１個の移動自在の側方壁が他方の側方壁に対して折畳み自在である請求項２６９に記載の装置。
【請求項２７２】
少なくとも１個の移動自在の側方壁が他方の側方壁に対して揺動自在である請求項２６９に記載の装置。
【請求項２７３】
少なくとも１個の移動自在の側方壁が本体から取外し自在である請求項２６９に記載の装置。
【請求項２７４】
少なくとも１個の移動自在の側方壁が、本体の相手溝と摺動係合するように形成された止着端を含む請求項２７３に記載の装置。
【請求項２７５】
止着端が、あり継ぎであると共に、相手溝とあり継手を形成する請求項２７４に記載の装置。
【請求項２７６】
止着端がＴ字状であり、相手溝が相手Ｔ字形状を有する請求項２７４に記載の装置。
【請求項２７７】
各側方壁が、ファスナーを挿通する貫通穴を含む請求項２６９に記載の装置。
【請求項２７８】
側方壁の貫通穴の間に配置されるファスナーを更に含む請求項２７７に記載の装置。
【請求項２７９】
ファスナーの先端部に載置されるキャップを更に含む請求項２７８に記載の装置。
【請求項２８０】
ファスナーの先端部に載置されるワッシャーを更に含む請求項２７８に記載の装置。
【請求項２８１】
骨組織への固定を高める表面特徴部を含む請求項２６９に記載の装置。
【請求項２８２】
表面特徴部が、歯、かかり、ビーズと肌荒れよりなる群から選択される請求項２８１に記載の装置。
【請求項２８３】
本体が大略Ｕ字状である請求項２６９に記載の装置。
【請求項２８４】
本体が軟質である請求項２６９に記載の装置。
【請求項２８５】
本体の可撓性がその長さに沿って変動する請求項２７９に記載の装置。
【請求項２８６】
本体の厚さがその長さに沿って変動する請求項２６９に記載の装置。
【請求項２８７】
本体の幅がその長さに沿って変動する請求項２６９に記載の装置。
【請求項２８８】
植込み後の組織成長を促進する生物学的活性材料を更に含む請求項２６９に記載の装置。
【請求項２８９】
生物学的活性材料が装置のコーティングに含まれている請求項２８８に記載の装置。
【請求項２９０】
装置が多孔性であり、生物学的活性材料が装置の細孔に含まれている請求項２８８に記載の装置。
【請求項２９１】
生体適合性の金属又は高分子からなる請求項２６９に記載の装置。
【請求項２９２】
生体適合性の金属又は高分子が、チタン、チタン合金、ステンレス鋼、コバルトクロム、セラミックス、超高分子量ポリエチレンとポリエーテルエーテルケトンよりなる群から選択される請求項２９１に記載の装置。